(57)【要約】      （修正有）【課題】いろいろな小型な記憶媒体のためのエキスプレス・カ−ド接口のアダプタ・デバイスの提供。【解決手段】小型な記憶媒体のためのエキスプレス・カ−ド接口のアダプタ・デバイスは、あらゆるＣＦ規格の記憶媒体でもサポートできるようにした。即ち、エキスプレス・カ−ド接口のアダプタ・デバイスはＩＤＥコンバ−タ・チップとＣＦアダプタ・モジュ−ルを含み、エキスプレス・カ−ド接口をサポートする系統上において、ＣＦカ−ド、マイクロ・ドライブ及びマイクロ・ハ−ド・ディスクなどの小型な記憶媒体のデ−タを記憶、または読取りできるようにした。その外、前記エキスプレス・カ−ドの接口アダプタ・デバイスには更に、１つのマルチ・メディヤ・カ−ド読取り制御チップと、１つの信号アダプタとが含まれており、エキスプレス・カ−ドを高速伝送接口として、いろいろな形態の異なる記憶媒体から、デ−タの読取りや書入れをする功能を発揮させ、これにより、伝送速度を向上し、使用上の便利性を高め、製品のコストを軽減できるようにした。【選択図】図１
0003103833.tif 000002
【実用新案登録請求の範囲】
【請求項１】
エキスプレス・カ−ド（ｅｘｐｒｅｓｓ  ｃａｒｄ）構体の規格に符合したハウジングと、
前記ハウジングの前端部に配置され、系統側と電気的に接合する１つの二重接続接口と、
前記ハウジングの後端部に開設され、その両側を双ガイド・レ−ルにて構成され、その第三の側には前記双ガイド・レ−ルから順次挿入される、ＣＦ規格（ｃｏｍｐａｃｔ  ｆｌａｓｈ）形態に準じた記憶媒体の接口と接合する、１つのＣＦ規格の接口が配置されている、１つの冂型スロットと、
前記二重接続接口と前記ＣＦ規格の接口との間に介在した、１つの回路基板と、
前記回路基板上に配置され、且つ前記二重接続接口と前記ＣＦ規格の接口を電気的に結合させ、外部系統側と、前記ＣＦ形態に準じた記憶媒体との間の電気信号の制御中心とする、１つのＩＤＥ・コンバ−タ制御チップ（ＩＤＥ  ｃｏｎｖｅｒｔｅｒ  ｃｏｎｔｒｏｌ  ｃｈｉｐ）とを含み、
前記ＣＦ規格の接口には少なくとも、１本のＣＦカ−ド探知ピンが取付けられてあり、
前記ＩＤＥ・コンバ−タ制御チップには少なくとも、１組の系統用デ−タ伝送ピンが取付けられてあり、
前記二重接続接口には前記ＣＦカ−ド探知ピンと電気的に接続されて、前記ＣＦ規格形態に準じた記憶媒体が挿入されたか、否かを探知する、１本のカ−ド挿入探知ピンと、前記系統用デ−タ伝送ピンと電気的に接続され、外部系統側に電気信号を伝送する、１組の差動序列ピンとが含まれていることを特徴とする、ＣＦ規格形態に準じた、小型な記憶媒体に適した、エキスプレス・カ−ド接口のアダプタ・デバイス（ａｄａｐｔｅｒ  ｄｅｖｉｃｅ）。
【請求項２】
前記ＣＦ規格形態に準じた記憶媒体には、取りはずし式ＣＦ記憶カ−ドと、マイクロ・ドライブ（Ｍｉｃｒｏ  Ｄｒｉｖｅ）とが含まれていることを特徴とする、請求項１記載のアダプタ・デバイス。
【請求項３】
前記ＣＦ規格形態に準じた記憶媒体には、固定式のマイクロ・ハ−ド・ディスク（ｍｉｃｒｏ  ｈａｒｄ  ｄｉｓｃ）が含まれていることを特徴とする、請求項１記載のアダプタ・デバイス。
【請求項４】
前記二重接続接口には１つのＰＣＩエキスプレス接口と、１つのＵＳＢ接口とが含まれていることを特徴とする、請求項１記載のアダプタ・デバイス。
【請求項５】
前記二重接続接口は前記ＰＣＩエキスプレス接口を動作接口とすることを特徴とする、請求項４記載のアダプタ・デバイス。
【請求項６】
前記二重接続接口は前記ＵＳＢ接口を動作接口とすることを特徴とする、請求項４記載のアダプタ・デバイス。
【請求項７】
前記二重接続接口には少なくとも１本の電源接続ピンがあり、前記カ−ド挿入探知ピンが作動された状態下で、系統側から供給された動作電圧を伝送することを特徴とする、請求項１記載のアダプタ・デバイス。
【請求項８】
前記ＣＦ規格の接口は更に、複数のアドレス線ピンと、本装置用のデ−タ伝送ピンと、制御用ピンとを含むことを特徴とする、請求項１記載のアダプタ・デバイス。
【請求項９】
前記ＩＤＥ・コンバ−タ制御チップは更に、前記ＣＦ規格の接口に対応する複数のアドレス線ピンと、本装置用のデ−タ伝送ピンと、制御ピンとを含むことを特徴とする、請求項１記載のアダプタ・デバイス。
【請求項１０】
エキスプレス・カ−ド構体の規格に符合したハウジングと、
前記ハウジングの前端部に配置され、系統側と電気的に接合する１つの二重接続接口と、
前記ハウジングの後端縁部に開設され、各種の小型記憶カ−ドの挿入を受入れる１つのスロットと、
前記ハウジング内の前記スロットに対応する位置に配置され、前記スロットに挿入された小型記憶カ−ドを収納し、且つ前記二重接続接口を経由して系統側に電気信号を伝送する１つの信号アダプタ・デバイスと、
前記二重接続接口と前記信号アダプタ・デバイスとの間に介在した１つの回路基板と、
前記回路基板上に配置され、且つ前記二重接続接口と前記信号アダプタ・デバイスとに電気的に結合して、外部系統側と、複数の前記小型記憶カ−ドとの間の電気信号の制御中心となる１つのマルチ・メディヤ・カ−ド読取り制御チップとを含み、
前記二重接続接口は少なくとも、外部系統側に電気信号を伝送する１組の差動序列ピンと、記憶カ−ドが挿入されたか、否かを探知する、１本のカ−ド挿入探知ピンとを具備し、
前記マルチ・メディヤ・カ−ド読取り制御チップは少なくとも、前記差動序列ピンと電気接続する１組の系統用デ−タ伝送ピンと、
挿入された記憶カ−ドのそれぞれの類型を探知するための、第一探知ピン、第二探知ピン、第三探知ピンとを具備し、
前記信号アダプタ・デバイスは少なくとも、前記カ−ド挿入探知ピンと前記第一探知ピンとに電気的に接続し、第一類記憶カ−ドの挿入に対応する、１本の第一類カ−ド探知ピンと、前記カ−ド挿入探知ピンと前記第二探知ピンとに電気的に接続し、第二類記憶カ−ドの挿入に対応する、１本の第二類カ−ド探知ピンと、前記カ−ド挿入探知ピンと前記第三探知ピンとに電気的に接続し、第三類記憶カ−ドの挿入に対応する、１本の第三類カ−ド探知ピンを具備していることを特徴とする、小型な記憶媒体に適したエキスプレス・カ−ド接口のアダプタ・デバイス。
【請求項１１】
前記第一類記憶カ−ドにはＳＭ、ＸＤなどの小型記憶カ−ドが含まれていることを特徴とする請求項１０記載のアダプタ・デバイス。
【請求項１２】
前記第二類記憶カ−ドにはＭＳシリ−ズなどの小型記憶カ−ドが含まれていることを特徴とする請求項１０の記載のアダプタ・デバイス。
【請求項１３】
前記第三類記憶カ−ドにはＳＤ、ＭＭＣなどの小型記憶カ−ドが含まれていることを特徴とする請求項１０の記載のアダプタ・デバイス。
【請求項１４】
前記二重接続接口には、１つのＰＣＩエキスプレス接口と、１つのＵＳＢ接口とが含まれていることを特徴とする請求項１０の記載のアダプタ・デバイス。
【請求項１５】
前記二重接続接口は前記ＰＣＩエキスプレス接口を動作接口とすることを特徴とする請求項１４記載のアダプタ・デバイス。
【請求項１６】
前記二重接続接口は、前記ＵＳＢ接口を動作接口とすることを特徴とする請求項１４記載のアダプタ・デバイス。
【請求項１７】
前記二重接続接口には少なくとも１本の電源接続ピンがあり、前記カ−ド挿入探知ピンが作動された状態下で、系統側から供給された動作電圧を伝送することを特徴とする、請求項１０記載のアダプタ・デバイス。
【請求項１８】
前記信号アダプタ・デバイスには更に、このような類型に属する記憶カ−ドに対応した、３組の複数の装置用デ−タ伝送ピンと制御ピンとが含まれていることを特徴とする、請求項１０記載のアダプタ・デバイス。
【請求項１９】
前記マルチ・メディヤ・カ−ド読取り制御チップには更に、前記信号アダプタ・デバイスに対応した、複数の装置用デ−タ伝送ピンと制御ピンとが含まれていることを特徴とする、請求項１８記載のアダプタ・デバイス。
【考案の詳細な説明】
【技術分野】
【０００１】
本考案は小型な記憶媒体用のアダプタ・デバイス（ａｄａｐｔｅｒ  ｄｅｖｉｃｅ）に関するもので、特に小型な記憶媒体に適したエキスプレス・カード・インターフェース・アダプタ・デバイス（ｅｘｐｒｅｓｓ  ｃａｒｄ  ｉｎｔｅｒｆａｃｅ  ａｄａｐｔｅｒ  ｄｅｖｉｃｅ）に関するものである。
【背景技術】
【０００２】
半導体製造技術の迅速な進歩により、最近１種の記憶媒体、一般にフラッシュ記憶カード（ｆｌａｓｈ  ｍｅｍｏｒｙ  ｃａｒｄｓ，本明細書では以下単に記憶カードと呼称する）といわれるものの開発を見るに至った。従来のフレキシブルな磁盤、または光学式磁盤と比べて、この近来開発された記憶カードにはいろいろな優点がある。例えば、携帯に便利、省電力、迅速なデータの伝達、多方面の読取り／書入れ可能、強靭な抗震能力や防湿性などである。故にフラッシュ記憶カードは広汎に各種の記憶カードのパネルに組込まれ、いろいろなディジタル製品、例えばＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）、ＡＴＡ（ＡＴ  Ａｔｔａｃｈｍｅｎｔ）フラッシュ・カード、コンパクト・フラッシュ（ＣＦ）・カード、スマート・メディア（ＳＭ）・カード、マルチ・メディア・カード（ＭＭＣ）、メモリ・スティック（ＭＳ）・カード、セキュア・ディジタル（ＳＤ）・カードとして販売されている。
【０００３】
既知のコンピュータ機種、例えば携帯用コンピュータ、またはパーソナル・ディジタル・アシスタント（ＰＤＡ）に対して、ＰＣＭＣＩＡ接口は、記憶カードの標準化されたものになっている（１９８９年）。商品としてのノート・ブック・コンピュータは通常、少なくとも１つ以上のＰＣＭＣＩＡスロットを備えている。このようなＰＣＭＣＩＡ接口の規格に従い、コンピュータ産業は複数の小型な記憶カードを挿入できるアダプタ、または、その外の特殊な機能を有するアダプタの開発を完成した。例えばインターネットとの接続、電話などであり、ＰＣＭＣＩＡ接口の利用は、ただ記憶カードに限定されるのみではなくなった。目下の技術では、ＰＣカードをいろいろな小型の記憶カードのアダプタに利用する場合が多くなっている。
【０００４】
コンピュータの伝送速度が、だんだん系統末端の要求を満足させることができなくなってきたので、媒体のバンド幅の拡大、使用便利性の向上や系統コストの節減を計るため、ＰＣＭＣＩＡ協会では２００３年にエキスプレス・カードの新標準を発表した。これによると、系統の接続接口にはＵＳＢ２．０（４８０Ｍｂｐｓ）とＰＣＩ−エキスプレス（２．５ＧＭｂｐｓ）を採用し、その１つのカードのダブル接口でデータの高速伝送とホット・プラグ（ｈｏｔ  ｐｌｕｇｇｉｎｇ）の特性を持たせて、ＰＣＭＣＩＡカードの将来の開発趨勢とするのである。
【０００５】
しかるに、これは２００３年に新しく制定された規格である故、未だその他の多様化された製品の出現に至らない。この新規格のカードと、既存の各種小型記憶カードやその他の記憶媒体が共存できれば、どれほど、各種の小型記憶媒体の開発に必要な業者のコストが節減でき、ユーザもまた、使用上便利になることであらう。
【考案の開示】
【考案が解決しようとする課題】
【０００６】
ＣＦ記憶カードのエキスプレス・カードの接口アダプタ・デバイスの提供を、本考案の主な目的とする。
【０００７】
小型なハード・ディスクのエキスプレス・カードの接口アダプタ・デバイスの提供を、本考案のもう１つの目的とする。
【０００８】
いろいろな小型記憶カード（例えばＭＳ、ＳＤ／ＭＭＣ、ＳＭ、ＸＤなど）へのエキスプレス・カードの接口アダプタ・デバイスの提供を、本考案の更に１つの目的とする。
【課題を解決するための手段】
【０００９】
前記の課題を解決するため、本考案では１つの小型記憶媒体用のアダプタ・デバイスを提供する。このデバイスの主要部分は系統の内部に収納され、デバイスのハウジング（ｈｏｕｓｉｎｇ）の前端部にはＰＣＭＣＩＡ協会が制定したエキスプレス・カードの規格に準じた、１つの二重接続用の接口（ＰＣＩエキスプレスとＵＳＢの双接口と接続）と、デバイスの後端部に開設された、ＣＦカードの規格に準じたＣＦ接口と、この接口両側に配置され、両ガイド・レールから構成された、ＣＦカードにマッチするように作成された冂型スロットと、その上に系統側のＣＦ規格に準ずる記憶媒体制御の中心となるＩＤＥ信号コンバータ制御チップが配置され、二重接続用接口とＣＦ規格の接口の間に介在した回路基板とが含まれている。
【００１０】
ＣＦ規格の接口は少なくとも、１本のＣＦカード探知用のピンを備え、二重接続用接口はＣＦカードの探知用ピンと電気接続する、ＣＦ規格に準じた記憶媒体が挿入されたか否かを探知するための１本のカード挿入探知用ピンを備えている。系統側では二重接続用接口から伝送されたカード挿入作動信号により、１つの動作電圧を提供し、それに応じアダプタ・デバイスは、いろいろな電気信号を発して記憶されたデータの読取りや書入れを制御する。
【００１１】
本考案によるもう１つの実施例における、小型な記憶媒体に適するエキスプレス・カード・インターフェース・アダプタ・デバイスは１つのエキスプレス・カード・デバイスの規格にマッチしたハウジングと、このハウジング前端部に配置された二重接続用接口と、ハウジング後端の縁部に開設され、各種小型記憶カードを挿入するためのスロットと、ハウジング内で前記スロットに相対する位置に配置されスロットから挿入された小型記憶カードを収納し、前記の二重接続用接口を経由して、系統側に、電気信号を伝送する信号アダプタと、二重接続用接口と信号アダプタの間に配置されたマルチ・メディヤ・カード読取り制御チップの回路基板を含む。このマルチ・メディヤ・カード読取り制御チップは系統側と各種小型記憶カードの信号制御の中心となるものである。
【００１２】
二重接続用接口は、類型の異なる記憶カードが挿入されるか否かを探知する少なくとも１つのカード挿入探知用ピンを備え、マルチ・メディヤ・カード読取り制御チップは、少なくとも第一、第二、第三探知用ピンを備え、信号アダプタは少なくとも、カード挿入探知用ピンと電気接続する第一類カード、第二類カード、及び第三類カードの探知用ピンを備えている。信号アダプタの具備するこれらの探知用ピンはまた、マルチ・メディヤ・カード読取り制御チップの第一、第二、及び第三探知用ピンと電気的に接続していて、類型の異なる各種記憶カードの挿入に対応している。系統側は二重接続用接口から伝送された作動信号により、１つの動作電圧を提供し、それに応じアダプタ、デバイスはいろいろな類型の異なる記憶カードにデータの読取りや書き入れをさせるのである。
【００１３】
本考案のその他の特徴、優点や応用に関しては、明細書に添付した図面を参考にして、以下説明する実施例の内容をご覧になっていただきたい。
【考案を実施するための最良の形態】
【００１４】
［実施例１］
図１を参照しよう。エキスプレス・カードの接口アダプタはエキスプレス・カード装置の規格に符合する上部ハウジング１０と下部ハウジング１１からなるハウジング内に収納されている。
【００１５】
以下の説明ではＣＦ規格に適合するエキスプレス・カード接口アダプタを例に取った。エキスプレス・カード媒体アダプタはハウジング（１０、１１）、二重接続接口１４、ＣＦ規格の接口（１６）、回路基板（１８）、及び回路基板（１８）上に配置されたＩＤＥコンバータ制御チップ（１８２）を含んでいる。
【００１６】
ハウジング（１０、１１）の前端部には系統側と電気的に結合された二重接続接口（１４）が配置されている。ハウジング（１０、１１）の後端部には、双ガイド・レール（１２）とＣＦ規格の接口（１６）から構成された、冂型スロット（１３）が開設され、双ガイド・レール（１２）は冂型スロット（１３）の両側に位置する。ＣＦ規格の接口（１６）は二重接続接口１４に接近した一側に配置され、双ガイド・レール（１２）から順次挿入されるＣＦ規格の記憶媒体の接口と結合している。
【００１７】
回路基板（１８）は二重接続接口（１４）と、ＣＦ規格の接口（１６）との間に介在し、その上にはＣＦ規格に準ずるＩＤＥコンバータ制御チップ（１８２）を溶接で取付け、外部系統とＣＦ規格に準ずる記憶媒体との間で、ＩＤＥからＵＳＢに変換する電気信号の制御の中心として作用する。ＩＤＥ媒体を利用して信号伝達の制御媒介とする理由は、ＣＦカードは記憶モード、Ｉ／Ｏモード、及び真ＩＤＥ・モード（ｔｒｕｅ  ＩＤＥ  Ｍｏｄｅ）をサポートしているので、系統側に対しては、ＣＦ規格に準じた記憶媒体は外部接続のハード・ディスクとして使用されている。この故に本考案の提供するこれらＣＦ規格に準じた記憶媒体は、そのピンが直接ＩＤＥ接口の真ＩＤＥモードと対応するのを主な動作モードとするのである。
【００１８】
ＣＦ規格に準ずる小型記憶媒体は、図２に示すような取りはずし可能なＣＦ記憶カードもしくはマイクロ・ドライブ（Ｍｉｃｒｏ  Ｄｒｉｖｅ）２０、及び図３に示すような固定式マイクロ・ハード・デイスク（３０）を含んでいる。
【００１９】
図４を参照しよう。本図の左側にエキスプレス・カード用の二重接続接口（１４）が、図面の右側にＣＦ規格に準じた小型記憶媒体用のＣＦ規格接口（１６）が、図面の中央部には制御の中心であるＩＤＥコンバータ制御チップ（１８２）がそれぞれ配置されている。
【００２０】
二重接続接口（１４）にはＰＣＩエキスプレス接口とＵＳＢ接口が含まれていて、設計上の需要如何により、前記の二つの接口を実施することができる。但し、当該分野の技術に熟達した者なら、本考案に開示された技術を利用して実施できるであろう。以下、本考案では二重接続接口のうちＵＳＢ接口を１つの好適な実施例中の接口としている。
【００２１】
ＣＦ規格の接口（１６）にはＣＦカード探知ピン２５（ｎＣＤ２）と２６（ｎＣＤ１）とがあり、二重接続接口（１４）には、ＣＦカード探知ピン２５、２６と電気的に接続するための、１本のカード挿入探知ピン４（ＣＰＵＳＢ＃）を持っている。このピンはＵＳＢ接口のシグナル・グループであり、符号”＃”は低主動ピン（ｌｏｗ  ａｃｔｉｖｅ  ｐｉｎ）を意味し、あらゆる種類のＣＦ規格の記憶媒体の挿入の有無を探知するものである。ピン２５、２６や４は全て低主動ピンに属し、ＣＦ規格の小型記憶媒体の何れかが挿入されれば、それらピンの電位を直ちに下げ、二重接続接口（１４）に属するカード挿入探知ピン４（ＣＰＵＳＢ＃）は、系統側にカード挿入作動信号を提供する。二重接続接口（１４）は更に、電源ピン１４、１５を含み、ＣＰＵＳＢ＃の作動した状態の下で系統側から送られてきた動作電圧を伝送して、このアダプタ・デバイス内の各電子素子は、系統側の要求するデータの読取り／書入れをするのである。
【００２２】
ＵＳＢ接口にてデータの読取り／書入れを行うためＩＤＥコンバータ制御チップ（１８２）には２組の系統用データ伝送ピンがある。即ち高速ＵＳＢ（伝送速度４８０Ｍｂｐｓ）と全速ＵＳＢ（伝送速度１２Ｍｂｐｓ）がそれぞれ必要とする、ＨＵ＿ＤＰ（３）＆ＨＵ＿ＤＭ（５）及びＵ＿ＤＰ（２）＆Ｕ＿ＤＭ（４）ピンである。二重接続接口（１４）は１組のそれら系統用データ伝送ピンと電気的に接続する差動序列のピン２と３を持っていて、その中、ＵＳＢ＿Ｄ−はＨＵ＿ＤＭ（５）とＵ＿ＤＭ（４）と電気的に接続、ＵＳＢ＿Ｄ＋はＨＵ＿ＤＰ（３）とＵ＿ＤＰ（２）と電気的に接続して、外部の系統側とアドレス、データや制御などを含む電気信号の伝送を行うのである。
【００２３】
エキスプレス・カード接口アダプタ・デバイス内部では並列式で電気信号を伝送する。その中で、ＣＦ規格の接口（１６）はアドレス線ピン（Ａ００〜Ａ０２）、装置用データ伝送ピン（Ｄ００〜Ｄ１５）、及び制御ピン（ＲＥＳＥＴ、ｎＩＯＷＲ、ｎＩＯＲＤ、ｎＷＡＩＴ、ＩＲＥＱ、ｎＣＥ１、ｎＣＥ２、ｎＳＰＫＲ）を含んでいる。ＩＤＥコンバータ制御チップ（１８２）はＣＦ規格接口（１６）と対応していて、アドレス線ピン（ＤＡ０〜ＤＡ２）、装置用データ伝送ピン（ＤＤ０〜ＤＤ１５）、及び制御ピン（ＲＥＳＥＴ−、ＤＩＯＷ−、ＤＩＯＲ−、ＩＯＲＤＹ、ＩＮＴＲＱ、ＣＳ０−、ＣＳ１−、ＤＡＳＰ−）などを含んでいる。
【００２４】
上述のような設計により、エキスプレス・カード接口のモジュールは、任意のＣＦ規格の小型記憶媒体の信号のアダプタ・デバイスとして作用する。なお、今現在既に開発された小型記憶媒体には、ＸＤ、ＳＭ、ＳＤ、ＭＭＣ、ＭＳシリーズなどの小型記憶カードがある。下記の実施例において、本考案がこれら小型記憶カードのために開発した、エキスプレス・カードの接口モジュールをマルチ・メディヤ記憶カードの信号アダプタ・デバイスとして利用した技術を紹介する。
【００２５】
［実施例２］
図５を参照しよう。このエキスプレス・カード接口アダプタ・デバイスは１つのエキスプレス・カード構体の規格に符合したハウジング（５０）で、上掲の各小型記憶カードの統一した伝送媒体とした。
【００２６】
前記マルチ・メディヤ記憶カードのエキスプレス・カードの接口、アダプタ・デバイスは、ハウジング（５０）、二重接続接口（５４）、信号アダプタ（５６）、回路基板（５８）、及び回路基板（５８）上に配置されたマルチ・メディヤ・カード読取り制御チップ（５８２）などから構成されている。
【００２７】
ハウジング（５０）の前端部には、系統側と電気的に接合するための二重接続接口（５４）が配置され、ハウジング（５０）の後端縁部には各種小型記憶カード挿入用のスロット（５０２）が開設されている。ハウジング（５０）内部で、スロット（５０２）と相対する位置には信号アダプタ（５６）が配置されていて、同一でない時間にスロット（５０２）に挿入される小型記憶カードを収納し、二重接続接口（５４）を経由して、系統側に電気信号を伝送する。信号アダプタ（５６）は３層に分けられていて、上層  （或いは下層）にＳＭ／ＸＤピンを取付けてあり（不図示）、中層に記憶カード挿入用の収納スペース（５６２）がある。または、下層（或いは上層）にＭＳシリーズの記憶カード・ピン（５６６）とＳＤ／ＭＭＣ記憶カード・ピン（５６４）を取付け、構体のスペースに余裕があれば、これら接続用のピンを同様の上層、または下層に取付ければ、信号アダプタ（５６）は更に薄くなる。
【００２８】
二重接続接口（５４）と信号アダプタ（５６）の間にはマルチ・メディヤ・カード読取り制御チップ（５８２）を備え付けた回路基板（５８）が配置されていて、外部の系統側と小型記憶カードとの間の電気信号制御の中心としている。
【００２９】
図６は即ち、図５の組立図であって、その外観はエキスプレス・カードの構体と同一であり、記憶カードはハウジング（５０）の後端縁部に開設されたスロット（５０２）から挿入するようになっている。
【００３０】
図７を参照しよう。この図は図５のハウジング内にある、回路の接口ピンの配置を示すものであり、図面の左方にエキスプレス・カード用の二重接続接口（５４）、図面の中間部に制御の中心となるマルチ・メディヤ・カード読取り制御チップ（５８２）、図面の右方に各種小型記憶カードをサポートするための信号アダプタ（５６）が、それぞれ配置されている。電気と構体が相互に許容できる範囲で上述の記憶カードを３組に分類すれば、それぞれ、ＳＭ／ＸＤ、ＳＤ／ＭＭＣ、とＭＳシリーズ（例えばＭＳ、ＭＳ＿ＰＲＯ、ＭＳ＿Ｄｕｏ）などの記憶カードとになる。この要領で信号アダプタ（５６）の伝送接口を区分すれば、ＳＭ／ＸＤをサポートするＡ伝送接口、ＭＳシリーズをサポートするＢ伝送接口、ＳＤ／ＭＭＣをサポートするＣ伝送接口となる。これら伝送接口Ａ、Ｂ、Ｃはそれぞれの各種記憶カードの装置用データ伝送ピン、及び制御ピンと対応できるものであり、マルチ・メディヤ・カード読取り制御チップ（５８２）と信号アダプタ（５６）との間は並列伝送方式を採用している故、マルチ・メディヤ・カード読取り制御チップ（５８２）もまた、信号アダプタ（５６）に類似するピン配置を持つことを意味している。
【００３１】
本実施例は前の実施例と同じく、動作媒体としてＰＣＩエキスプレス接口或いはＵＳＢ接口を採用している。但し、本技術に熟達している者が、本考案で開示した技術を実施できるように、以下本考案では同様に、二重接続接口を具備しているＵＳＢ接口を、好適な動作接口として実施した例を説明する。ＵＳＢ接口を系統側との連絡用接口とする要求に応えるため、マルチ・メディヤ・カード読取り制御チップ（５８２）に、マルチ・メディヤ・記憶カードが伝送する並列信号を、ＵＳＢシリーズ信号に変換する機能を具備するようにした。
【００３２】
マルチ・メディヤ・カード読取り制御チップ（５８２）は実施例１と同様に、２組の系統用データ伝送ピンを有する。即ち高速ＵＳＢ（伝送速度４８０Ｍｂｐｓ）と全速ＵＳＢ（伝送速度１２Ｍｂｐｓ）が必要とする、ＵＳＢ＿ＨＤＰ（４）＆ＵＳＢ＿ＨＤＭ（５）、及びＵＳＢ＿ＦＤＰ（３）＆ＵＳＢ＿ＦＤＭ（６）の各ピンである。そして二重接続接口（５４）にはこれら系統用データ伝送ピンと電気的に接続する１組の差動序列ピン２と３を具備している。その中、ＵＳＢ＿  Ｄ−はＵＳＢ＿ＨＤＭ（５）とＵＳＢ＿ＦＤＭ（６）とに電気的に接続し、ＵＳＢ＿Ｄ＋はＵＳＢ＿ＨＤＰ（４）とＵＳＢ＿ＦＤＰ（３）とに電気的に接続し、このようにして外部の系統側にアドレス、データや制御などを含む電気信号を伝送するのである。
【００３３】
図７と図８を参照しよう。二重接続用接口（５４）には１本のカード挿入探知ピン４（ＣＰＵＳＢ＃）があって、記憶カードが挿入されたか否かを探知する。信号アダプタ（５６）には、第一類記憶カード（例えばＳＭ／ＸＤ）の挿入を探知する１本の第一類カード探知ピン２３（ＣＤ＿ＳＷ１）と、第二類記憶カード（例えばＭＳシリーズ）の挿入を探知する１本の第二類カード探知ピン６（ＩＮＳ）と、第三類記憶カード（例えばＳＤ／ＭＭＣ）の挿入を探知する１本の第三類カード探知ピン１０（ＣＤ＿ＳＷ＃）が具備されている。マルチ・メディヤ・カード読取り制御チップ（５８２）には１本の第一探知ピン２２（ＳＭ＿ＣＤ＿ＳＷ＃）と、１本の第二探知ピン３０（ＭＳ＿ＩＮＳ＃）と、１本の第三探知ピン３７（ＳＤ＿ＣＤ＿ＳＷ＃）があって、それぞれマルチ・メディヤ・カード読取り制御チップ（５８２）による挿入されたカードの種類の判別に利用される。
【００３４】
信号アダプタ（５６）の第一類カード探知ピン２３（ＣＤ＿ＳＷ１）と、マルチ・メディヤ・カード読取り制御チップ（５８２）の第一探知ピン２２（ＳＭ＿ＣＤ＿ＳＷ＃）とは、受動素子（例えばダイオード８２）を通じて、二重接続接口（５４）のカード挿入探知ピン４（ＣＰＵＳＢ＃）と電気的に接続されている。また、信号アダプタ（５６）の第二類カード探知ピン６（ＩＮＳ）と、マルチ・メディヤ・カード読取り制御チップ（５８２）の第二探知ピン３０（ＭＳ＿ＩＮＳ＃）とは、受動素子（例えばダイオード８４）を通じて、二重接続接口（５４）のカード挿入探知ピン４（ＣＰＵＳＢ＃）と電気的に接続されている。また、信号アダプタ（５６）の第三類カード探知ピン１０（ＣＤ＿ＳＷ＃）と、マルチ・メディヤ・カード読取り制御チップ（５８２）の第三探知ピン３７（ＳＤ＿ＣＤ＿ＳＷ＃）とは、受動素子（例えばダイオード８６）を通じて、二重接続接口（５４）のカード挿入探知ピン４（ＣＰＵＳＢ＃）と電気的に接続されている。
【００３５】
二重接続接口（５４）は更に電源ピン１４と１５とを含んでおり、カード挿入探知ピン４（ＣＰＵＳＢ＃）の作動状態下で系統側から供給される動作電圧を伝送し、これにより、アダプタ・デバイス内のあらゆる電子素子は、系統側が必要とするデータの読書きを実行するのである。
【００３６】
本考案は、本考案の技術的思想から逸脱することなく、他のいろいろな形態で実施することができる。上述の実施例はあくまでも、本考案の技術内容を明らかにするだけのものであって、このような具体例のみに拘って、本考案を狭義に解釈するべきものではなく、本考案の精神と実用新案登録請求の範囲内でいろいろと変更して実施することができるものである。
【図面の簡単な説明】
【００３７】
【図１】本考案による小型な記録媒体用のアダプタ・デバイスの立体分解図である。
【図２】図１の立体組立図である。
【図３】図１のもう１つの立体組立図である。
【図４】図１のハウジング内における、電気回路の接口上の接続ピンの配置図である。
【図５】本考案による小型な記録媒体用のアダプタ・デバイスのもう１つの立体分解図である。
【図６】図５の立体組立図である。
【図７】図５のハウジング内における、電気回路の接口上の接続ピンの配置図である。
【図８】本考案による、エキスプレス・カード接口アダプタ・デバイスを用いて、マルチ・メディヤ・カード挿入を探知する回路図である。
【符号の説明】
【００３８】
１０：上部ハウジング                          １１：下部ハウジング
１２：双ガイド・レール                        １３：冂型スロット
１４：二重接続接口                            １６：ＣＦ規格の接口
１８：回路基板                              １８２：ＩＤＥコンバータ制御チップ
２０：ＣＦ／マイクロ・ドライブ                ３０：マイクロ・ハード・ディスク
５０：ハウジング                            ５０２：スロット
５４：二重接続接口                            ５６：信号アダプタ
５６２：中間の収納スペース                  ５６４：ＳＤ／ＭＭＣ記憶カード・ピン
５６６：ＭＳシリーズ記憶カード・ピン
Ａ：ＳＭ／ＸＤ伝送接口                          Ｂ：ＭＳシリーズ伝送接口
Ｃ：ＳＤ／ＭＭＣ伝送接口                      ５８：回路基板
５８２：マルチ・メディヤ・カード読取り制御チップ
８２、８４、８６：受動素子
【図１】
0003103833.tif 000003
【図２】
0003103833.tif 000004
【図３】
0003103833.tif 000005
【図４】
0003103833.tif 000006
【図５】
0003103833.tif 000007
【図６】
0003103833.tif 000008
【図７】
0003103833.tif 000009
【図８】
0003103833.tif 000010